(57)【要約】【課題】携帯電話機を利用し、より操作性のよい状態でインターネットに接続できる環境を、偏在した状態で実現する。【解決手段】携帯電話機１０４を所有する利用者が携帯電話機１０４を携帯電話接続部１０３に挿入すると、携帯電話接続部１０３は、挿入された携帯電話機１０４より機器属性情報を読み取り、ＩＴスポット端末装置１０２に通知する。ＩＴスポット端末装置１０２は、通知された機器属性情報を一時記憶する。この後、ＩＴスポット端末装置１０２は、ログインの要求を、入力されたパスワード及び一時記憶してある機器属性情報と共にＩＴプロバイダ１０７に送出する。【選択図】  図１
2005286916.tif 000002
【特許請求の範囲】
【請求項１】
表示部と入力部とを備えてインターネットに接続するＩＴ端末装置と、
このＩＴ端末装置に接続し、携帯電話機が挿抜可能な嵌合部を備え、この嵌合部に挿入された携帯電話機と前記ＩＴ端末装置とを接続する携帯電話接続部と
を有し、
前記ＩＴ端末装置は、
前記携帯電話接続部に接続された携帯電話機よりこの携帯電話機の固体識別情報を含む機器属性情報を読み出し、
読み出した前記機器属性情報を認証情報として前記インターネットに送出する
ことを特徴とするネットワーク認証システム。
【請求項２】
請求項１記載のネットワーク認証システムにおいて、
前記機器属性情報は、前記携帯電話機の備える記憶部より読み出される
ことを特徴とするネットワーク認証システム。
【請求項３】
請求項２記載のネットワーク認証システムにおいて、
前記インターネットを介して前記ＩＴ端末装置が取得した情報を、携帯電話接続部に接続された前記携帯電話機の前記記憶部に記録する
ことを特徴とするネットワーク認証システム。
【請求項４】
表示部と入力部とを備えてインターネットに接続するＩＴ端末装置と、
このＩＴ端末装置に接続し、携帯電話機が挿抜可能な嵌合部を備え、この嵌合部に挿入された携帯電話機と前記ＩＴ端末装置とを接続する携帯電話接続部と
を有し、
前記携帯電話接続部に接続された携帯電話機よりこの携帯電話機の固体識別情報を含む機器属性情報を読み出し、
読み出した前記機器属性情報を認証情報として前記インターネットに送出する
ことを特徴とするネットワーク認証方法。
【請求項５】
請求項４記載のネットワーク認証方法において、
前記機器属性情報は、前記携帯電話機の備える記憶部より読み出される
ことを特徴とするネットワーク認証方法。
【請求項６】
請求項５記載のネットワーク認証方法において、
前記インターネットを介して前記ＩＴ端末装置が取得した情報を、携帯電話接続部に接続された前記携帯電話機の前記記憶部に記録する
ことを特徴とするネットワーク認証方法。
【請求項７】
携帯電話機が挿抜可能な嵌合部を備えた携帯電話接続部の前記嵌合部に挿入された携帯電話機よりこの携帯電話機の固体識別情報を含む機器属性情報を読み出す処理と、
読み出した前記機器属性情報を認証情報として前記インターネットに送出する処理と
をコンピュータに実行させるためのネットワーク認証プログラム。
【発明の詳細な説明】
【技術分野】
【０００１】
本発明は、ホットスポット（Ｒ）などにおける広域ネットワーク接続の認証を、携帯電話機を利用して行うネットワーク認証システム，方法，プログラムに関する。
【背景技術】
【０００２】
携帯電話機は、音声通話に加えてデータ通信機能を備え、インターネットへの接続も可能となっている。また、第三世代といわれている携帯電話機の導入により、音声通話の品質向上とともにデータ通信の速度も向上している。また、携帯電話機は、小型で携帯性に優れており、近年では、インターネットなどのネットワークに接続可能な携帯端末機として、広く普及するようになってきている（特許文献１，２，３参照）。携帯端末機器として、主にデータ通信を行うためのものとして、ＰＤＡ（Personal Data Assistance）などの、小型のコンピュータ機器も利用されているが（特許文献４，５参照）、携帯性では、携帯電話機の方が優れている。
【０００３】
なお、出願人は、本明細書に記載した先行技術文献情報で特定される先行技術文献以外には、本発明に関連する先行技術文献を出願時までに発見するには至らなかった。
【特許文献１】特開２００１−２１１１１４号公報
【特許文献２】特開２００３−２５６６４１号公報
【特許文献３】特開２００３−３３１９２８号公報
【特許文献４】特開平１０−１７８５００号公報
【特許文献５】特開２００２−３２０２７４号公報
【発明の開示】
【発明が解決しようとする課題】
【０００４】
しかしながら、携帯電話機によるインターネット接続では、回線速度がＡＤＳＬや光ファイバーなどの有線系ブロードバンド接続には及ばず、また、無線接続のための不安定性もあった。また、携帯電話機は、携帯性を考慮して非常に小型であるため、所謂ノート型などの小型のコンピュータ機器に比較し、表示部の大きさや入力環境に制限があり、操作性で劣る部分がある。小型のコンピュータ機器を端末とし、ホットスポット（Ｒ）などの無線ＬＡＮアクセスポイントを利用し、インターネット接続を実現するシステムもあるが、これでは、携帯性に難点がある。
【０００５】
本発明は、以上のような問題点を解消するためになされたものであり、携帯電話機を利用し、より操作性のよい状態でインターネットに接続できる環境を、偏在した状態で実現することを目的とする。
【課題を解決するための手段】
【０００６】
本発明に係るネットワーク認証システムは、表示部と入力部とを備えてインターネットに接続するＩＴ端末装置と、このＩＴ端末装置に接続し、携帯電話機が挿抜可能な嵌合部を備え、この嵌合部に挿入された携帯電話機とＩＴ端末装置とを接続する携帯電話接続部とを有し、ＩＴ端末装置は、携帯電話接続部に接続された携帯電話機よりこの携帯電話機の固体識別情報を含む機器属性情報を読み出し、読み出した機器属性情報を認証情報としてインターネットに送出する。
【０００７】
上記ネットワーク認証システムにおいて、機器属性情報は、携帯電話機の備える記憶部より読み出されればよい。また、インターネットを介してＩＴ端末装置が取得した情報を、携帯電話接続部に接続された携帯電話機の記憶部に記録するようにしてもよい。
【０００８】
本発明に係るネットワーク認証方法は、表示部と入力部とを備えてインターネットに接続するＩＴ端末装置と、このＩＴ端末装置に接続し、携帯電話機が挿抜可能な嵌合部を備え、この嵌合部に挿入された携帯電話機とＩＴ端末装置とを接続する携帯電話接続部とを有し、携帯電話接続部に接続された携帯電話機よりこの携帯電話機の固体識別情報を含む機器属性情報を読み出し、読み出した機器属性情報を認証情報としてインターネットに送出するようにしたものである。
【０００９】
上記ネットワーク認証方法において、機器属性情報は、携帯電話機の備える記憶部より読み出されるようにすればよい。また、インターネットを介してＩＴ端末装置が取得した情報を、携帯電話接続部に接続された携帯電話機の記憶部に記録するようにしてもよい。
【００１０】
本発明に係るネットワーク認証プログラムは、携帯電話機が挿抜可能な嵌合部を備えた携帯電話接続部の嵌合部に挿入された携帯電話機よりこの携帯電話機の固体識別情報を含む機器属性情報を読み出す処理と、読み出した機器属性情報を認証情報としてインターネットに送出する処理とをコンピュータに実行させるためのプログラムである。
【発明の効果】
【００１１】
以上説明したように、本発明によれば、表示部と入力部とを備えてインターネットに接続するＩＴ端末装置により、携帯電話機の固体識別情報を含む機器属性情報を読み出し、読み出した機器属性情報を認証情報として用いるようにしたので、携帯電話機を利用し、より操作性のよい状態でインターネットに接続できる環境を、偏在した状態で実現できるようになるという、優れた効果が得られる。
【発明を実施するための最良の形態】
【００１２】
以下、本発明の実施の形態について図を参照して説明する。
図１は、本発明の実施の形態におけるネットワーク認証システムの構成例を示す構成図である。本システムは、ＩＴスポット１０１に設置されているＩＴスポット端末装置１０２と、ＩＴスポット端末装置１０２に接続されている携帯電話接続部１０３と、携帯電話機１０４と、ＩＴスポット端末装置１０２が接続しているインターネット１０５と、インターネット１０５に接続する携帯電話網１０６と、インターネット１０５に接続するＩＴプロバイダ１０７とを備えている。
【００１３】
ＩＴスポット１０１は、ＩＴスポット端末装置１０２により、インターネット接続サービスを不特定多数の利用者に提供している空間である。ＩＴスポット端末装置１０２は、例えば、ＡＤＳＬや光ファイバー接続などの形態により、インターネット１０５に直接接続している。ＩＴスポット端末装置１０２は、図示していないが、ディスプレイなどの表示装置やキーボード，マウスなどの入力機器や、スピーカなどの音声出力機器を備えたコンピュータ機器であり、高い操作性を有している。
【００１４】
携帯電話接続部１０３は、携帯電話機１０４が挿抜可能な嵌合部を備え、嵌合部に装填された携帯電話機１０４との間で、情報の送受信が可能とされている。例えば、携帯電話接続部１０３は、嵌合部に装填された携帯電話機１０４より、携帯電話機１０４に固有の機器属性情報を読み取る。機器属性情報は、携帯電話機１０３に割り当てられている、電話番号や製造番号などの固体識別子を含む情報である。また、携帯電話接続部１０３は、携帯電話機１０４に収容されている２次電池に対する充電を行う充電機能なども備えている。
【００１５】
携帯電話機１０４は、図示していない記憶部を収容し、携帯電話接続部１０３を経由して受信したデータ（情報）などを記録部に記憶する。加えて、上記記憶部は、機器属性情報とともに利用者により設定された識別子などを含む識別情報を記録している。また、携帯電話機１０４は、音声による通話を行う電話機能、インターネットプロトコルなどによる情報通信の機能、インターネット１０５に接続してＷｅｂページを閲覧するためのブラウザー機能などを備えている。
【００１６】
ＩＴプロバイダ１０７は、インターネット１０５に接続され、内部にＬＡＮ（Local Area Network）が構築され、ＬＡＮを介して接続する情報記録部１０８を備えている。情報記録部１０８は、設定情報、個人ファイル、電子メールなどの、インターネット接続サービスなどを提供する対象の利用者の情報からなる個人データベースが記録されている。また、ＩＴプロバイダ１０７は、情報記録部１０８に用意されている個人データベースを参照することで、ＩＴスポット端末装置１０２からの接続用急に対する認証を行う。
【００１７】
次に、図１に示すネットワーク認証システムの動作例について、図２のフローチャートを用いて説明する。
まず、携帯電話機１０４を所有する利用者が携帯電話機１０４を携帯電話接続部１０３に挿入すると（ステップＳ２０１）、携帯電話接続部１０３は、挿入された携帯電話機１０４より機器属性情報を読み取り（ステップＳ２０２）、ＩＴスポット端末装置１０２に通知する。ＩＴスポット端末装置１０２は、通知された機器属性情報を一時記憶する。
【００１８】
この後、上記利用者の操作により、ＩＴプロバイダ１０７へのログイン要求と所定のパスワードが入力されると、ＩＴスポット端末装置１０２は、ログインの要求を、入力されたパスワード及び一時記憶してある機器属性情報とともにＩＴプロバイダ１０７に送出する（ステップＳ２０３）。
【００１９】
送出されたログイン要求，パスワード及び機器属性情報を受け付けたＩＴプロバイダ１０７は、受け付けた情報と情報記録部１０８に記録されている情報とを比較することで認証を行う（ステップＳ２０４）。利用者が特定されて認証が完了すると、ＩＴプロバイダ１０７は、認証が確認されたことをＩＴスポット端末装置１０２に通知する（ステップＳ２０５）。認証の確認通知を受け付けたＩＴスポット端末装置１０２は、ＩＴスポット端末装置１０２が、ＩＴプロバイダ１０７にログインしたことをディスプレイ（図示せず）に表示する。
【００２０】
ＩＴスポット端末装置１０２がＩＴプロバイダ１０７にログインしたことにより、ＩＴスポット端末装置１０２は、情報記録部１０８内の個人データベースなどにアクセスすることが可能となる。この結果、利用者は、ＩＴスポット端末装置１０２を操作することで、個人データベースより、個人設定情報のダウンロード、個人データの参照・編集、電子メールの参照・送受信などが可能となる。また、ＩＴスポット端末装置１０２を利用した、Ｗｅｂページの閲覧なども可能である。
【００２１】
また、携帯電話接続部１０３に、携帯電話充電機能があるため、利用者がＩＴスポット端末装置１０２を操作している間は、携帯電話機１０４が充電された状態となる。また、携帯電話接続部１０３及びＩＴスポット端末装置１０２を経由し、インターネット１０５の上の各種のデータを、携帯電話機１０４に転送することも可能である。同様に、携帯電話機１０４に記録されているデータを、インターネット１０５に送出することも可能である。
【００２２】
ところで、携帯電話機１０４は、携帯電話網１０６を介してインターネット１０５へアクセスすることも可能である。この場合、利用者は、携帯電話機１０４の入力機能を利用することになり、操作性は低下する。また、この場合、インターネット１０５とのアクセスは、携帯電話機１０４の通信速度に制限されるようになる。
【００２３】
次に、ＩＴスポット端末装置１０２を利用した携帯電話網１０６への接続動作例について、図３のフローチャートを用いて説明する。
携帯電話機１０４を所有する利用者が携帯電話機１０４を携帯電話接続部１０３に挿入すると（ステップＳ３０１）、携帯電話接続部１０３は、挿入された携帯電話機１０４より携帯電話機１０４に設定（記録）してある識別情報を読み取り（ステップＳ３０２）、ＩＴスポット端末装置１０２に通知する。ＩＴスポット端末装置１０２は、通知された識別情報を一時記憶する。
【００２４】
この後、上記利用者の操作により、携帯電話網１０６へのログイン要求と所定のパスワードが入力されると、ＩＴスポット端末装置１０２は、ログインの要求を、入力されたパスワード及び一時記憶してある識別情報とともに携帯電話網１０６に送出する（ステップＳ３０３）。送出されたログイン要求，パスワード及び識別情報を受け付けた携帯電話網１０６は、受け付けた情報により認証を行い、認証が確認されたことをＩＴスポット端末装置１０２に通知する（ステップＳ３０４）。
【００２５】
認証の確認通知を受け付けたＩＴスポット端末装置１０２は、携帯電話網１０６に接続されたことをディスプレイ（図示せず）に表示する。
ＩＴスポット端末装置１０２が携帯電話網１０６にログインしたことにより、ＩＴスポット端末装置１０２は、携帯電話網１０６による様々なサービスを受けることが可能となる。また、ＩＴスポット端末装置１０２を利用した、Ｗｅｂページの閲覧なども可能である。
【００２６】
次に、ＩＴスポット端末装置１０２を利用した携帯電話網１０６への他の接続動作例について、図４のフローチャートを用いて説明する。以下では、携帯電話機１０４が、フェリカと呼ばれている非接触ＩＣカードの機能を備えている場合を例にして説明する。
携帯電話機１０４を所有する利用者が携帯電話機１０４を携帯電話接続部１０３に挿入すると（ステップＳ４０１）、携帯電話接続部１０３は、挿入された携帯電話機１０４より、フェリカ機能が有する機器属性情報（フェリカ情報）を読み取り（ステップＳ４０２）、ＩＴスポット端末装置１０２に通知する。ＩＴスポット端末装置１０２は、通知されたフェリカ情報を一時記憶する。
【００２７】
この後、上記利用者の操作により、携帯電話網１０６へのログイン要求と所定のパスワードが入力されると、ＩＴスポット端末装置１０２は、ログインの要求を、入力されたパスワード及び一時記憶してあるフェリカ情報とともに携帯電話網１０６に送出する（ステップＳ４０３）。送出されたログイン要求，パスワード及びフェリカ情報を受け付けた携帯電話網１０６は、受け付けた情報により認証を行う（ステップＳ４０４）。携帯電話網１０６では、携帯電話機を特定するためのデータベースとともにフェリカ情報を特定するためのデータベースとを備え、これらデータベースを参照することで、上述した認証を行う。
【００２８】
上述した認証により、利用者が特定されて認証が完了すると、携帯電話網１０６は、認証が確認されたことをＩＴスポット端末装置１０２に通知する（ステップＳ４０５）。
認証の確認通知を受け付けたＩＴスポット端末装置１０２は、携帯電話網１０６に接続されたことをディスプレイ（図示せず）に表示する。
ＩＴスポット端末装置１０２が携帯電話網１０６にログインしたことにより、ＩＴスポット端末装置１０２は、携帯電話網１０６による様々なサービスを受けることが可能となる。また、ＩＴスポット端末装置１０２を利用した、Ｗｅｂページの閲覧なども可能である。
【００２９】
また、図５に示すように、ＩＴスポット端末１０２に固定電話機４０１を接続して用いるようにしてもよい。
前述したように、携帯電話機１０４を利用した認証により、ＩＴスポット端末１０２がインターネット１０５を介して携帯電話網１０６に接続されている場合、携帯電話網１０４（携帯電話機１０４の電話番号）に発信された呼を、固定電話機４０１で着信する。
【００３０】
また、図６に示すように、固定電話機４０１より携帯電話網１０６や固定電話網５０１に対して発呼することも可能である。この場合、電話料金は、携帯電話機１０４の利用者が契約しているＩＴプロバイダ１０７や携帯電話網１０６のキャリアに対して課金され、利用者は、インターネット接続料金や携帯電話料金として上記電話料金を支払えばよいことになる。
【００３１】
なお、ＩＴスポット端末１０２は、例えばコンピュータであり、ＣＰＵ，主記憶装置，表示装置，キーボードやマウスなどの入力装置，及びネットワーク接続装置などを有し、主記憶装置に記録されたプログラムをＣＰＵが実行することで、上述した各機能を実現するものである。
また、上述では、ＩＴプロバイダ１０７を例に説明したが、これに限るものではなく、企業の内部に設けられているローカルエリアネットワークに設けられているサーバであってもよい。この場合、上記サーバが情報記録部を備え、個人情報などを記録している。
【図面の簡単な説明】
【００３２】
【図１】本発明の実施の形態におけるネットワーク認証システムの構成例を示す構成図である。
【図２】図１に示すネットワーク認証システムの動作例を説明するフローチャートである。
【図３】図１に示すネットワーク認証システムの他の動作例を説明するフローチャートである。
【図４】図１に示すネットワーク認証システムの他の動作例を説明するフローチャートである。
【図５】本発明の実施の形態におけるネットワーク認証システムの他の構成例を示す構成図である。
【図６】本発明の実施の形態におけるネットワーク認証システムの他の構成例を示す構成図である。
【符号の説明】
【００３３】
１０１…ＩＴスポット、１０２…ＩＴスポット端末装置、１０３…携帯電話接続部、１０４…携帯電話機、１０５…インターネット、１０６…携帯電話網、１０７…ＩＴプロバイダ、１０８…情報記録部。
【図１】
2005286916.tif 000003
【図２】
2005286916.tif 000004
【図３】
2005286916.tif 000005
【図４】
2005286916.tif 000006
【図５】
2005286916.tif 000007
【図６】
2005286916.tif 000008